(57)【特許請求の範囲】
【請求項１】
筒状の開口部を有するグローブと、前記開口部を嵌合する周壁を有する壁面取付用の器具本体と、この器具本体内の壁面取付状態の上部に上下方向に摺動自在に設けられて先端が前記開口部内に進入する支持部を有し前記筒状の開口部の内周に係止する係止片を前記支持部の先端に有する受け具と、この受け具を前記上下方向の前記上方に付勢して前記開口部を前記周壁との間に挟持するばねと、前記周壁を貫通し前記ばねに抗して前記受け具を下降するグローブ着脱用つまみと、前記器具本体内の前記上下方向の下部に設けられて前記開口部内に進入するとともに前記開口部が前記受け具と前記周壁との間に挟持された状態で前記開口部の内周に係合する押え片とを備えた照明器具。
【請求項２】
前記グローブの前記開口部の内周に凹部を有し、前記ばねに付勢された前記受け具に前記グローブが支持された状態で、前記凹部の縁部に摺接する傾斜面を前記係止片および前記押え片に有する請求項１記載の照明器具。
【請求項３】
前記グローブの前記開口部の内周に凹部を有し、前記グローブ着脱用つまみを前記ばねに抗して押しかつ前記開口部の前記上下方向の下部が前記周壁に係止した状態で、前記係止片の先端が前記凹部に係合する請求項１または請求項２記載の照明器具。
【発明の詳細な説明】
【０００１】
【発明の属する技術分野】
この発明は、照明器具に関するものである。
【０００２】
【従来の技術】
第１の従来例を図５に示す。すなわち、この照明器具は、外周が凹んだ筒状の開口部７０を有するガラス製のグローブ７１と、開口部７０を嵌合する周壁７２を有する壁面取付用の器具本体７３と、壁面取付状態の上下方向の下部の周壁７２に位置して開口部７０の外周の凹みに引っ掛ける引掛具７４と、上下方向の周壁７２の上部に螺通して先端で開口部７０を引掛具７４に向けて押圧する押しねじ７５とを備えている。この第１の従来例は、開口部７０の下部を引掛具７４に引掛け、上部の押しねじ７５の先端でグローブ７１を押し付けて、グローブ７１を器具本体７３に固定する。
【０００３】
第２の従来例を図６に示す。すなわち、この照明器具は、筒状の開口部７０ａを有するガラス製のグローブ７１と、開口部７０ａを嵌合する周壁７２を有する壁面取付用の器具本体７３と、この器具本体７３内の壁面取付状態の上部に上下方向に摺動自在に設けられて先端が開口部７０ａの内方に進入する支持部７４を有しグローブ７１の外れを防止する係止片７７を支持部７６の先端に有する受け具７８と、周壁７２を貫通し受け具７８に螺合したグローブ着脱用つまみねじ７９と、器具本体７３内の下部に設けられて開口部７０ａ内に進入するとともに開口部７０ａが受け具７８と周壁７２との間に挟持された状態で開口部７０ａ内に係合する押え片８０とを備えている。この第２の従来例は、グローブ７１の開口部７０ａを周壁７２に嵌合し、つまみねじ７９を回転することにより開口部７０ａを引上げて係合片７７および押え片８０に係止してグローブ７１を器具本体７３に固定する。
【０００４】
【発明が解決しようとする課題】
第１の従来例および第２の従来例ともに、ねじの回転によりグローブ７１を固定するため、グローブ７１の取付け操作が面倒で時間がかかり、また振動等によりねじが緩む欠点があった。
またねじの締付け過ぎによりグローブ７１が割れる不安があった。さらにねじを回す操作のために必要なスペースのため、周壁の高さｄを大きくする必要があり、器具本体が大型化した。
【０００５】
さらに第１の従来例はねじ溝が外部に現れ外観が悪くなり、第２の従来例はつまみに滑り止めのためのローレットが必要であった。
またねじの不用意な操作によりグローブ７１が落下する危険性があり、落下防止用の金具を設けるとコスト高になり、しかも落下防止金具の影がグローブ内に現れるという問題があった。
【０００６】
したがって、この発明の目的は、従来のねじ締めによる欠点を解消し、つまみを回す操作が不要で、器具本体を小型化でき、着脱操作が簡単にでき、振動等によりグローブが緩む危険性がない照明器具を提供することである。
【０００７】
【課題を解決するための手段】
請求項１記載の照明器具は、筒状の開口部を有するグローブと、前記開口部を嵌合する周壁を有する壁面取付用の器具本体と、この器具本体内の壁面取付状態の上部に上下方向に摺動自在に設けられて先端が前記開口部内に進入する支持部を有し前記筒状の開口部の内周に係止する係止片を前記支持部の先端に有する受け具と、この受け具を前記上下方向の前記上方に付勢して前記開口部を前記周壁との間に挟持するばねと、前記周壁を貫通し前記ばねに抗して前記受け具を下降するグローブ着脱用つまみと、前記器具本体内の前記上下方向の下部に設けられて前記開口部内に進入するとともに前記開口部が前記受け具と前記周壁との間に挟持された状態で前記開口部の内周に係合する押え片とを備えたものである。
【０００８】
請求項１記載の照明器具によれば、グローブ着脱用つまみをばねに抗して押して、グローブの開口部を器具本体の周壁に嵌合し、グローブ着脱用つまみを離すと、ばねの復元作用により受け具と周壁との間にグローブの開口部の上部を挟持し、開口部の下部が押え片に係合して取付けられる。この状態でグローブ着脱用つまみを再度押すと受け具による押し付けから開放されるので開口部を器具本体から外すことができる。
【０００９】
この場合、グローブ着脱用つまみをばねに抗して押圧することによりグローブを着脱するため、操作が簡単で時間がかからず、ねじを用いる場合の締めすぎがなく、振動等による緩みがなく、また回す操作のために周壁の高さを大きくする必要がないので小型化が図れる。さらにつまみにローレットを必要とせずねじ部も見えないのでデザインを良好にできる。
【００１０】
請求項２記載の照明器具は、請求項１において、前記グローブの前記開口部の内周に凹部を有し、前記ばねに付勢された前記受け具に前記グローブが支持された状態で、前記凹部の縁部に摺接する傾斜面を前記係止片および前記押え片に有するものである。
請求項２記載の照明器具によれば、請求項１の効果のほか、係止片および押え片の傾斜面で凹部の縁部を軸方向にも押圧するため、グローブの開口部の外周側の表面が器具本体に密着することができる。
【００１１】
請求項３記載の照明器具は、請求項１または請求項２において、前記グローブの前記開口部の内周に凹部を有し、前記グローブ着脱用つまみを前記ばねに抗して押しかつ前記開口部の前記上下方向の下部が前記周壁に係止した状態で、前記係止片の先端が前記凹部に係合するものである。
【００１２】
請求項３記載の照明器具によれば、請求項１または請求項２の効果ほか、不用意にグローブ着脱用つまみを押しても係止片が凹部に係合しているので、グローブが落下する危険性を回避でき、安全性を図れる。
【００１３】
【発明の実施の形態】
この発明の一実施の形態を図１ないし図４により説明する。すなわち、この照明器具は、グローブ１と、器具本体２と、受け具３と、ばね４と、グローブ着脱用つまみ５と、押え片６とを有する。
グローブ１は、筒状の開口部７を有するものである。実施の形態では断面略Ｃ形ないし球状のガラス製であり、正面からみて略逆三角形をなしている。開口部７はグローブ１の形状の最も大きい部分よりも小さい略相似の略逆三角形をなしてくびれるように形成され、開口部７の内周面の内端に径方向に拡がる凹部７ａを形成している。
【００１４】
器具本体２は壁面３８の取付用であり、開口部７を嵌合する周壁８を有する。実施の形態では、開口部７に外嵌するように略逆三角形をなし、その周縁部に周壁８を形成し、周壁８の先端につば４０を形成している。周壁８の上面の中央にはつまみ挿通孔１３を形成している。また器具本体２の中心に電線挿通穴１４を有し、その上下に取付け用のだるま孔１５と水平に向いた長孔１６を形成している。さらにだるま孔１５の両側に断面Ｌ字形の一対のガイド１７を対向するように切起している。１８は電線挿通孔１３の両側に形成されたねじ孔、３５は器具本体２に取付けられたねじ孔である。
【００１５】
受け具３は、器具本体２内の壁面取付状態の上部に上下方向に摺動自在に設けられて、先端が開口部７内に進入する支持部９を有し、筒状の開口部７の内周に係止する係止片１０を支持部９の先端に有する。実施の形態では、金属板をＬ字形に折曲して水平姿勢の支持部９と垂直片１９を形成し、垂直片１９の両側をガイド１７に摺動自在に通すものとし、垂直片１９の両側の下端部にガイド１７の下端部に係止するストッパ２０を設けている。また支持部９は中心にねじ挿通孔２２を形成し、両側にガイド１７を逃げる切欠２３を形成するとともに、両側にばね受け２１を垂下している。さらに、後述のようにばね４に付勢された受け具３にグローブ１が支持された状態で、筒状の開口部７の凹部７ａの縁部に摺接する傾斜面１１を係止片１０を傾斜姿勢に折曲することにより形成している。
【００１６】
ばね４は、受け具３を上下方向の上方に付勢して開口部７を周壁８との間に挟持する。実施の形態では圧縮型のコイルばねを用い、ばね４の上端をばね受け２１に嵌合している。ばね４の下端部はソケット台２４に設けたばね受け２５に嵌合している。ソケット台２４は金属板を略コ字形に折曲してなり、その両側片の端部より外方に延出した取付片２６の孔にねじ２７を通してねじ孔１８にねじ込められて取付けられている。ソケット台２４の中間部の下端部に水平片２８を形成し、水平片２８にねじ２９によりランプソケット３０を取付け、ランプソケット３０にランプ３１が装着され、こうしてランプソケット３０およびランプ３１が器具本体２に取付けられる。またばね４によりソケット台２４の支持のもとに受け具３が上方に付勢され、ストッパ２０がガイド１７の下端部に係止する。
【００１７】
グローブ着脱用つまみ５は、周壁８を貫通しばね４に抗して受け具３を下降する。実施の形態では指でつまむ大径部３２と、大径部３２の端部より突出してつまみ挿通孔１３を貫通する小径部３３からなるプッシュボタンを用い、先端面にねじ孔を形成している。そして、小径部３３の先端が支持部９に当接し、支持部９のねじ挿通孔２２に下面側から通されたねじ３４が小径部３３のねじ孔にねじ込められて、ねじ３４の頭部と小径部３３との間に支持部９が挟持され、グローブ着脱用つまみ５が受け具３に固定されている。
【００１８】
押え片６は、器具本体２内の上下方向の下部に設けられて開口部７内に進入するとともに開口部７が受け具３と周壁８との間に挟持された状態で開口部７の内周に係合する。実施の形態では、金属板をＬ字形に折曲し、その一側片に形成したねじ挿通孔にねじ３６を通し、ねじ孔３５に螺着して器具本体２に取付けている。また他側片の先端を約４５度に下向きに傾斜して、ばね４に付勢された受け具３にグローブ１が支持された状態で、筒状の開口部７の凹部７ａの縁部に摺接する傾斜面１２を形成している。
【００１９】
またこの実施の形態は図３に示すように、グローブ着脱用つまみ５をばね４に抗して押しかつ開口部７の上下方向の下部が周壁８に係止した状態で、係止片１０が開口部７の凹部７ａに係合可能となるように、グローブ１，器具本体２および受け具３の大きさ，配置および移動範囲等を寸法設定している。
図１はグローブ１を器具本体１に取付けた状態であり、図２（ａ）はグローブ１の取付け前の状態であり、グローブ着脱用つまみ５を押す。このとき、ばね４は圧縮され、受け具３はガイド１７に沿って下方に移動し、切欠２３をガイド１７が通って支持具９がガイド１７の上端より下方に移動し、グローブ着脱用つまみ５の大径部３２が図３に示すように周壁８に当たって係止する。この結果、周壁８と受け具３の支持部９との間に大きなすき間が形成される。この状態で図３に示すようにグローブ１の開口部７を周壁８に嵌合し、グローブ着脱用つまみ５を離すと、図２（ｂ）および図１に示すようになる。これによりばね４の復元作用で、受け具３がガイド１７に沿って上方に移動し、支持部９がグローブ１の開口部７を押し上げると同時に傾斜面１１で凹部７ａの縁部を軸方向の器具本体２側に引き寄せ、周壁８のつば４０にグローブ１の開口部７の外周側の表面が密着し、またグローブ着脱用つまみ５が上昇する。グローブ１の上昇により開口部７の下部が周壁８から離れるが、開口部７の下部が押え片６に押圧され、その傾斜面１２が凹部７ａの縁部に係合して開口部７が軸方向に引き寄せられ、図１に示すように周壁８の端面のつば４０にグローブ１の表面が密着する。一方、図３に示すようにグローブ着脱用つまみ５を押すと、受け具３がグローブ１の開口部７から離れグローブ１が開放されるので、グローブ１を器具本体２から外すことができる。またグローブ１を外した状態でグローブ着脱用つまみ５を離したときは、受け具３はばね４に付勢されてストッパ２０がガイド１７に係止するか、または支持具９が周壁８に係止する。
【００２０】
この実施の形態によれば、グローブ着脱用つまみ５をばね４に抗して押して、グローブ１の開口部７を器具本体２の周壁８に嵌合し、グローブ着脱用つまみ５を離すと、ばね４の復元作用により受け具３と周壁８との間にグローブ１の開口部７の上部を挟持し、開口部７の下部が押え片６に係合して取付けられる。この状態でグローブ着脱用つまみ５を再度押すと受け具３による押し付けから開放されるので開口部７を器具本体１から外すことができる。
【００２１】
この場合、グローブ着脱用つまみ５をばね４に抗して押圧することによりグローブ１を着脱するため、操作が簡単で時間がかからず、ランプ交換等の保守が簡単になる。またねじ４を用いる場合の締めすぎがなく、振動等による緩みがなく、また回す操作のために周壁８の高さｄ（図３）を大きくする必要がないので小型化が図れる。さらにグローブ着脱用つまみ５にローレットを必要とせずねじ部も見えないのでデザインを良好にでき、たとえばグローブ着脱用つまみ５のデザインを優先して決めることができる。
【００２２】
またグローブ１の開口部７の内周に凹部７ａを有し、ばね４に付勢された受け具３にグローブ１が支持された状態で、凹部７ａの縁部に摺接する傾斜面１１，１２を係止片１０および押え片６に有するため、係止片１０および押え片６の傾斜面１１，１２で凹部７ａの縁部を軸方向にも押圧するため、グローブ１の開口部７の外周側の表面が器具本体２に密着することができる。
【００２３】
さらにグローブ着脱用つまみ５をばね４に抗して押しかつ開口部７の上下方向の下部が周壁８に係止した状態で、係止片１０の先端が凹部７ａに係合可能となるように、グローブ１，器具本体２および受け具３の大きさ，配置および移動範囲等を設定したため、不用意にグローブ着脱用つまみ５を押しても係止片１０が凹部７ａに係合しているので、グローブ１が落下する危険性を回避でき、安全性を図れる。
【００２４】
なお、この発明において、係止片１０および押え片６の傾斜面１１，１２はなくてもよい。あるいは傾斜面１１，１２ではなく、凹部７ａに係合可能な垂直面を形成してもよい。これらの場合、ばね４により、支持部９と周壁８との間に開口部７を挟持するとともに、開口部７を押え片６に押し付けるものとする。
【００２５】
【発明の効果】
請求項１記載の照明器具によれば、グローブ着脱用つまみをばねに抗して押圧することによりグローブを着脱するため、操作が簡単で時間がかからず、ねじを用いる場合の締めすぎがなく、振動等による緩みがなく、また回す操作のために周壁の高さを大きくする必要がないので小型化が図れる。さらにつまみにローレットを必要とせずねじ部も見えないのでデザインを良好にできる。
【００２６】
請求項２記載の照明器具によれば、請求項１において、前記グローブの前記開口部の内周に凹部を有し、前記ばねに付勢された前記受け具に前記グローブが支持された状態で、前記凹部の縁部に摺接する傾斜面を前記係止片および前記押え片に有するため、請求項１の効果のほか、係止片および押え片の傾斜面で凹部の縁部を軸方向にも押圧するため、グローブの開口部の外周側の表面が器具本体に密着することができる。
【００２７】
請求項３記載の照明器具によれば、請求項１または請求項２において、前記グローブの前記開口部の内周に凹部を有し、前記グローブ着脱用つまみを前記ばねに抗して押しかつ前記開口部の前記上下方向の下部が前記周壁に係止した状態で、前記係止片の先端が前記凹部に係合可能となるように、前記グローブ，前記器具本体および前記受け具の大きさ，配置および移動範囲等を設定したため、請求項１または請求項２の効果ほか、不用意にグローブ着脱用つまみを押しても係止片が凹部に係合しているので、グローブが落下する危険性を回避でき、安全性を図れる。
【図面の簡単な説明】
【図１】この発明の一実施の形態のグローブ取付状態の要部断面図である。
【図２】グローブの装着過程を説明する部分断面図である。
【図３】グローブ着脱用つまみを押し込んだ状態のグローブ取外し直前の要部断面図である。
【図４】照明器具の分解斜視図である。
【図５】第１の従来例の概略断面図である。
【図６】第２の従来例の概略断面図である。
【符号の説明】
１    グローブ
２    器具本体
３    受け具
４    ばね
５    グローブ着脱用つまみ
６    押え片
７    開口部
７ａ    凹部
８    周壁
９    支持部
１０    係止片
１１    傾斜面
１２    傾斜面
【図１】
0003556361.tif 000002
【図２】
0003556361.tif 000003
【図３】
0003556361.tif 000004
【図４】
0003556361.tif 000005
【図５】
0003556361.tif 000006
【図６】
0003556361.tif 000007